(57)【要約】【課題】本発明は、煙草煙によるアルコールセンサの劣化を抑制することができるアルコール検出装置を提供する。【解決手段】本発明は、被験者によって吹込口に吹き込まれた呼気のアルコール濃度を検出するアルコール検出装置１であって、吹込口に煙草煙が吹き付けられているか否かを判定するＥＣＵ２と、ＥＣＵ２により煙草煙が吹き付けられていると判定された場合に、煙草煙を吹き付け側へ戻すように気流を生じさせるファン９と、を備える。このアルコール検出装置１によれば、吹込口に煙草煙が吹き付けられていると判定された場合、ファン９が生じさせる気流によって煙草煙が吹き付け側へ戻されるので、煙草煙が吹込口内に入り込んだとしてもアルコールセンサ７と接触する前に排出することが可能となり、これによって煙草煙によるアルコールセンサ７の劣化を抑制することができる。【選択図】図４
2010203904.tif 000002
【特許請求の範囲】
【請求項１】
被験者によって吹込口に吹き込まれた呼気のアルコール濃度を検出するアルコール検出装置であって、
前記吹込口に煙草煙が吹き付けられているか否かを判定する吹付け判定手段と、
前記吹付け判定手段により前記煙草煙が吹き付けられていると判定された場合に、前記煙草煙を吹き付け側へ戻すように気流を生じさせる気流発生手段と、を備えることを特徴とするアルコール検出装置。
【請求項２】
前記気流発生手段は、順回転により前記呼気を吸引すると共に、逆回転により前記煙草煙を吹き付け側へ戻すように気流を生じさせるファンを有していることを特徴とする請求項１に記載のアルコール検出装置。
【請求項３】
前記被験者の顔を撮像する被験者撮像カメラを更に備え、
前記吹付け判定手段は、前記被験者撮像カメラが撮像した前記被験者の顔画像に基づいて、前記吹込口に煙草煙が吹き付けられているか否かを判定することを特徴とする請求項１又は請求項２に記載のアルコール検出装置。
【発明の詳細な説明】
【技術分野】
【０００１】
本発明は、被験者の呼気のアルコール濃度を検出するアルコール検出装置に関するものである。
【背景技術】
【０００２】
従来、このような分野の技術として、特開２００６−２０１０９７号公報がある。この公報に記載された酒気帯びチェッカーは、アルコールセンサの近傍にヒータが組み込まれており、このヒータによりアルコールセンサのヒートクリーニングを行うことで、汚れ等によるアルコールセンサの劣化防止を図っている。
【先行技術文献】
【特許文献】
【０００３】
【特許文献１】特開２００６−２０１０９７号公報
【発明の概要】
【発明が解決しようとする課題】
【０００４】
ところで、前述した酒気帯びチェッカーにおいては、被験者が呼気と共に煙草煙をアルコールセンサに吹き付けると、煙草煙によりセンサが劣化し、正確なアルコール濃度の検出が妨げられるという問題があった。
【０００５】
本発明は、このような課題を解決するためになされたものであり、煙草煙によるアルコールセンサの劣化を抑制することができるアルコール検出装置を提供することを目的とする。
【課題を解決するための手段】
【０００６】
本発明は、被験者によって吹込口に吹き込まれた呼気のアルコール濃度を検出するアルコール検出装置であって、吹込口に煙草煙が吹き付けられているか否かを判定する吹付け判定手段と、吹付け判定手段により煙草煙が吹き付けられていると判定された場合に、煙草煙を吹き付け側へ戻すように気流を生じさせる気流発生手段と、を備えることを特徴とする。
【０００７】
本発明に係るアルコール検出装置によれば、吹込口に煙草煙が吹き付けられていると判定された場合、気流発生手段が生じさせる気流によって煙草煙が吹き付け側へ戻されるので、煙草煙が吹込口内に入り込んだとしてもアルコールセンサと接触する前に排出することが可能となり、これによって煙草煙によるアルコールセンサの劣化を抑制することができる。
【０００８】
また、気流発生手段は、順回転により呼気を吸引すると共に、逆回転により煙草煙を吹き付け側へ戻すように気流を生じさせるファンを有していることが好ましい。このような構成によれば、煙草煙の吹き付けが検出された場合に、ファンの逆回転により煙草煙を吹き付け側へ戻すことができる一方、通常時においては、ファンの順回転により呼気を吸引してアルコールセンサへと送ることが可能となる。
【０００９】
また、被験者の顔を撮像する被験者撮像カメラを更に備え、吹付け判定手段は、被験者撮像カメラが撮像した被験者の顔画像に基づいて、吹込口に煙草煙が吹き付けられているか否かを判定することが好ましい。このような構成によれば、被験者撮像カメラが撮像した被験者の顔画像に基づいて、被験者が煙草煙を吹き付けているのか、或いは空気中の煙草煙が吹込口に入り込んだのかを判定することが可能となるので、誤判定によりアルコール検査が中止されることを回避することができる。
【発明の効果】
【００１０】
本発明によれば、煙草煙によるアルコールセンサの劣化を抑制することができる。
【図面の簡単な説明】
【００１１】
【図１】本発明に係るアルコール検出装置の一実施形態の構成を示すブロック図である。
【図２】アルコール検出装置を示す正面図である。
【図３】アルコール検出装置の使用例を示す図である。
【図４】図１に示すファン及び各種センサを示す概略図である。
【図５】アルコール検出装置の動作を示すフローチャートである。
【発明を実施するための形態】
【００１２】
以下、本発明に係るアルコール検出装置の好適な実施形態について図面を参照しながら詳細に説明する。
【００１３】
図１〜図３に示すように、本発明に係るアルコール検出装置１は、車両の運転席付近に備えられた箱状の装置であり、配線を通じて車両と電気的に接続されている。アルコール検出装置１の正面には、被験者Ｓが呼気を吹き込むための吹込口Ｔが設けられており、この吹込口Ｔに吹き込まれた呼気のアルコール濃度が検出される。アルコール検出装置１は、装置を統括的に制御するＥＣＵ［Electric  Control  Unit］（吹付け判定手段）２を有している。
【００１４】
ＥＣＵ２は、演算処理を行うＣＰＵ［Central  Processing  Unit］、記憶部となるＲＯＭ［Read  Only  Memory］及びＲＡＭ［Random  Access  Memory］、入力信号回路、出力信号回路、電源回路等により構成されている。ＥＣＵ２は、スイッチ３、被験者撮像カメラ（吹付け検出手段）４、ＣＯ２センサ５、及び湿度センサ６と電気的に接続されている。更に、ＥＣＵ２は、アルコールセンサ７、妨害ガスセンサ８、ファン（気流発生手段）９、インジケータ１０、及び通信部１１と電気的に接続されている。スイッチ３は、アルコール検出装置１を起動するための起動スイッチである。スイッチ３をＯＮ状態に切り換えることにより、アルコール検出装置１が起動する。また、スイッチ３をＯＦＦ状態に切り換えることにより、アルコール検出装置１が停止する。
【００１５】
図１及び図２に示すように、被験者撮像カメラ４は、アルコール検出装置１の正面に設けられ、吹込口Ｔに呼気を吹き込もうとする被験者Ｓの顔を撮像するものである。被験者撮像カメラ４は、撮像した被験者Ｓの顔画像の情報をＥＣＵ２に送信する。
【００１６】
図１及び図４に示すように、ＣＯ２センサ５は、アルコール検出装置１内で吹込口Ｔの奥側に配置され、空気中の二酸化炭素（ＣＯ２）を検出するものである。ＣＯ２センサ５は、検出したＣＯ２に関するＣＯ２情報をＥＣＵ２に送信する。また、湿度センサ６は、アルコール検出装置１内で吹込口Ｔの奥側に配置され、空気中の湿度を検出するものである。湿度センサ６は、検出した湿度に関する湿度情報をＥＣＵ２に送信する。
【００１７】
アルコールセンサ７は、アルコール検出装置１内で吹込口Ｔの手前側に配置され、空気中のアルコール濃度を検出するものである。アルコールセンサ７は、検出したアルコール濃度に関するアルコール濃度情報をＥＣＵ２に送信する。
【００１８】
妨害ガスセンサ８は、アルコール検出装置１内で吹込口Ｔの手前側に配置され、アルコールセンサ７におけるアルコール濃度の検出を妨害するガス（すなわち、アルコールセンサ７においてアルコールと誤認される呼気の臭い成分等）の濃度を検出するものである。妨害ガスセンサ８は、検出した妨害ガスの濃度に関する妨害ガス濃度情報をＥＣＵ２に送信する。
【００１９】
ファン９は、アルコール検出装置１内で吹込口Ｔに設けられ、回転により気流を生じさせるものである。ファン９は、アルコール検出装置１が起動された場合に順回転を行うと共に、ＥＣＵ２からの指令に応じて逆回転を行う。ファン９の順回転により吹込口Ｔ内に空気を吸引する気流が生じ、ファン９の逆回転により吹込口Ｔから空気を排出する気流が生じる。
【００２０】
インジケータ１０は、ランプの点灯等により、被験者Ｓに対してアルコール検出装置１に関する各種情報を表示するものである。インジケータ１０は、ＥＣＵ２の指令により、エラーの表示や飲酒状態の判定結果の表示等を行う。
【００２１】
通信部１１は、車両側に設けられ、通信インフラを通じて管理者（例えば、運送事業会社の管理システムや責任者等）に各種情報を送信するものである。通信部１１は、ＥＣＵ２の指令により、悪質な行為（煙草煙を何度もアルコール検出装置１に吹き付ける等の行為）に関する情報を管理者に通知する。
【００２２】
ＥＣＵ２は、被験者撮像カメラ４からの送信により被験者Ｓの顔画像情報を取得する。ＥＣＵ２は、取得した被験者Ｓの顔画像情報に基づいて、被験者Ｓが煙草煙を吹込口Ｔに吹き付けているか否かを判定する。具体的には、ＥＣＵ２は、被験者Ｓの顔画像情報から呼気を吹き付ける被験者Ｓの口から煙草煙が出ているか否かを判別することにより、煙草煙を吹込口Ｔに吹き付けているか否かを判定する。被験者Ｓの口から煙草煙が出ているか否かの判別については、例えば予め煙草煙の出ている顔画像をテンプレートとして記憶し、このテンプレートと取得した顔画像とのマッチングを取ることにより判別すればよい。
【００２３】
ＥＣＵ２は、被験者Ｓが煙草煙を吹込口Ｔに吹き付けていないと判定した場合、ＣＯ２センサ５から送信されたＣＯ２情報に基づいて、アルコール検出装置１内に呼気が吹き込まれたか否かを判定する。ＥＣＵ２は、アルコール検出装置１内に呼気が吹き込まれたと判定した場合、湿度センサ６から送信された湿度情報、妨害ガスセンサ８から送信された妨害ガス濃度情報、及びアルコールセンサ７から送信されたアルコール濃度情報に基づいて、呼気のアルコール濃度を検出する。具体的には、ＥＣＵ２は、湿度センサ６から送信された湿度情報に基づいて、アルコール検出装置１内の湿度を認識する。また、ＥＣＵ２は、妨害ガスセンサ８から送信された妨害ガス濃度情報に基づいて、アルコール検出装置１内の妨害ガスの濃度を認識する。アルコールセンサ７が検出するアルコールの量は湿度や妨害ガスの濃度により変動するため、認識した湿度及び妨害ガスの濃度に応じて、アルコール濃度情報のアルコール濃度を補正することで、アルコール濃度の検出精度の向上を図ることができる。
【００２４】
ＥＣＵ２は、検出したアルコール濃度に基づいて、被験者Ｓが飲酒状態であるか否かを判定する。ＥＣＵ２は、被験者Ｓが飲酒状態であるか否かの判定結果を表示するための判定結果表示指令をインジケータ１０に送信すると共に、該判定結果に応じた所定の処理（車両のエンジンスタータの始動等）を行う。
【００２５】
一方、ＥＣＵ２は、被験者Ｓが煙草煙を吹込口Ｔに吹き付けていると判定した場合、ファン９に逆回転指令を送信すると共に、インジケータ１０にエラー表示指令を送信する。また、ＥＣＵ２は、被験者Ｓが煙草煙を吹込口Ｔに吹き付けていると判定した回数をカウントする。ＥＣＵ２は、被験者Ｓが煙草煙を吹込口Ｔに吹き付けていると判定した回数が所定の閾値を超えた場合、被験者Ｓは故意で悪質な行為をしていると判定して、通信部１１に悪質行為に関する管理者通知指令を送信する。
【００２６】
次に、以上のように構成されたアルコール検出装置１の動作について図面を参照して説明する。先ずスイッチ３のＯＮ状態への切り替えによりアルコール検出装置１が起動される。アルコール検出装置１が起動された場合、ファン９は順回転を開始する。
【００２７】
図５に示すように、ステップＳ１において、被験者撮像カメラ４からの送信により被験者Ｓの顔画像情報が取得される。その後、取得された被験者Ｓの顔画像情報に基づいて、被験者Ｓが煙草煙を吹込口Ｔに吹き付けているか否かが判定される（Ｓ２）。
【００２８】
ステップＳ２において、被験者Ｓが煙草煙を吹込口Ｔに吹き付けていないと判定された場合、ＣＯ２センサ５から送信されたＣＯ２情報に基づいて、吹込口Ｔからアルコール検出装置１内に呼気が吹き込まれたか否かが判定される（Ｓ３）。吹込口Ｔからアルコール検出装置１内に呼気が吹き込まれていないと判定された場合、ステップＳ１に戻り再び各ステップを繰り返す。
【００２９】
一方、アルコール検出装置１内に呼気が吹き込まれたと判定された場合、湿度センサ６から送信された湿度情報、妨害ガスセンサ８から送信された妨害ガス濃度情報、及びアルコールセンサ７から送信されたアルコール濃度情報に基づいて、呼気のアルコール濃度が検出される（Ｓ４）。
【００３０】
次に、検出されたアルコール濃度に基づいて、被験者Ｓが飲酒状態であるか否かが判定される（Ｓ５）。その後、被験者Ｓが飲酒状態であるか否かの判定結果を表示するため判定結果表示指令がインジケータ１０に送信されると共に、該判定結果に応じた所定の処理が行われる（Ｓ６）。その後、ステップＳ１に戻り再び各ステップを繰り返す。
【００３１】
ステップＳ２において、被験者Ｓが煙草煙を吹込口Ｔに吹き付けていると判定された場合、ファン９に逆回転指令が送信されると共に、インジケータ１０にエラー表示指令が送信される（Ｓ７）。その後、被験者Ｓが故意で悪質な行為をしているか否かが判定される（Ｓ８）。被験者Ｓが故意で悪質な行為をしていないと判定された場合、ステップＳ１に戻る。一方、被験者Ｓが故意で悪質な行為をしていると判定された場合、通信部１１に悪質行為に関する管理者通知指令が送信される（Ｓ９）。その後、ステップＳ１に戻り再び各ステップを繰り返す。
【００３２】
以上説明したアルコール検出装置１によれば、吹込口Ｔに煙草煙が吹き付けられたと判定されると、ファン９が生じさせる気流によって煙草煙が吹き付け側へ戻されるので、煙草煙が吹込口Ｔ内に入り込んだとしてもアルコールセンサ７と接触する前に排出することが可能となり、これによって煙草煙によるアルコールセンサ７の劣化を抑制することができる。
【００３３】
また、このアルコール検出装置１によれば、ファン９の順回転と逆回転とを切り換えることで、煙草煙が吹き付けられたと判定された場合に、ファン９の逆回転により煙草煙を吹き付け側へ戻すことができる一方、通常時においては、ファン９の順回転により呼気を攪拌して、一定の風力でアルコールセンサ７へと送ることが可能となる（図４の破線の矢印を参照）。
【００３４】
更に、このアルコール検出装置１によれば、被験者撮像カメラ４が撮像した被験者Ｓの顔画像に基づいて、被験者Ｓが煙草煙を吹き付けているのか、或いは空気中の煙草煙が吹込口に入り込んだのかを判定することが可能となるので、誤判定によりアルコール検査が中止されることを回避することができる。
【００３５】
本発明は、上述した実施形態に限定されるものではない。例えば、アルコール検出装置１は、被験者撮像カメラ４が取得した被験者Ｓの顔画像情報に基づいて、被験者Ｓの個人認証を行う態様であってもよい。また、湿度センサ６や妨害ガスセンサ８は、必ず備える必要はない。その他、ＣＯ２センサ５に代えてＯ２センサ（酸素センサ）を用いることにより、アルコール検出装置１内に被験者Ｓの呼気が吹き込まれたか否かを判定してもよい。
【符号の説明】
【００３６】
１…アルコール検出装置、２…ＥＣＵ（吹付け判定手段）、４…被験者撮像カメラ、７…アルコールセンサ、９…ファン。
【図１】
2010203904.tif 000003
【図２】
2010203904.tif 000004
【図３】
2010203904.tif 000005
【図４】
2010203904.tif 000006
【図５】
2010203904.tif 000007